(57)【要約】【課題】  テーパー形状を有する容器を強固に固定することができ、また単品の場合でも使用可能な集積包装体を提供する。【解決手段】  本発明は、複数の収容物を並べて集積する角筒状の集積包装体であって、両端の辺上を折り込んだ第一抜け止め部１１ａ，１１ａと、前記収容物ごとに分割する切断予定部１４とを備えるようにした。【選択図】    図１
2005239214.tif 000002
【特許請求の範囲】
【請求項１】
複数の収容物を並べて集積する角筒状の集積包装体であって、両端の辺上を折り込んだ第一抜け止め部（１１ａ，１１ａ）と、前記収容物ごとに分割する切断予定部（１４）とを備えることを特徴とする集積包装体。
【請求項２】
前記第一抜け止め部（１１ａ，１１ａ）が同一の辺上にある請求項１記載の集積包装体。
【請求項３】
辺上の一部を折り込んで前記収容物の側面に当接する固定部（１１ｃ，１１ｃ）を備える請求項１又は２記載の集積包装体。
【請求項４】
前記切断予定部（１４）を跨いで、辺上の一部を折り込んだ第二抜け止め部（１１ｂ）を備える請求項１乃至３記載の集積包装体。
【請求項５】
前記収容物は、トレー部（５１）とドーム状の蓋部（５２）とからなる容器（５０）である請求項１乃至４記載の集積包装体。
【発明の詳細な説明】
【技術分野】
【０００１】
本発明は、複数の容器を並べて集積する集積包装体に関し、特に、ロールケーキなどの食品を収容するために、トレー部とドーム状の蓋部からなる容器を複数並べて集積する集積包装体に関する。
【背景技術】
【０００２】
複数のビンや缶、容器等をまとめて包装する方法として、集積包装（マルチパック）と言われるものがある。この集積包装により包装された包装体は、購入者がまとめ買いをしたい場合に便利であり、さらに、簡単に複数のものを持ち運びできるので、キャリー性をも有する。
【０００３】
しかし、デザートや洋菓子を収容したカップ状の容器は、容器にテーパー形状を有したり、本体と蓋を嵌合するために、蓋にフランジ部を有する場合がある。このような形状を有する容器を一列に並べて集積包装する場合、容器同志を隣接させて並べることができず、容器を固定するために何らかの工夫が必要となる。そこで、フランジ部を有する容器を集積包装するために、フランジ部を係止するスリットを設けた集積包装体がある（特許文献１）。
【０００４】
図３に従来の集積包装体の展開図（ａ）、及び斜視図（ｂ）を示す。
【０００５】
図３（ａ）より、まず、長方形の底板１０１の長辺に折線１０７ａ，１０７ａを介して台形状の側壁パネル１０２，１０２を設け、側壁パネル１０２，１０２に折線１０７ｂ，１０７ｂを介して天板パネル１０３，１０３を延設している。そして、底板１０１の短片に折線１０７ａ，１０７ａを介して両側に糊代部１０５，…を有する台形状の端部側壁パネル１０４，１０４を連接している。さらに、側壁パネル１０２，１０２と天板パネル１０３，１０３の間に複数個のスリット１０６，…をスリット同士が対向するように設けている。また、延長した天板パネル１０３，１０３端部には、それぞれ切り込み１０８ａ，１０８ｂが互いに噛み合うように設けられている。
【０００６】
このような形状を有する集積包装体は、図３（ｂ）に示すように、底板１０１上にカップ状の容器を詰め合わせ、天板パネル１０３，１０３を折り曲げて先端に設けられた切り込み１０８ａ，１０８ｂを互いに噛み合わせることによって集積包装を行うことができる。
【０００７】
このように構成された集積包装体によれば、テーパー形状を有する容器でも容易に集積包装することができ、商品の持ち運びが容易になる。しかも、上部が広く開口されているので、商品の外観を透視することができる。
【特許文献１】特開平８−１０４３５８号公報
【発明の開示】
【発明が解決しようとする課題】
【０００８】
しかしながら、特許文献１に記載の集積包装体によれば、フランジ部をスリット１０６，…で係止することにより容器の固定を行っているので、持ち運びの際に係止が解かれてしまうと、容器が上部から飛び出すおそれがある。また、この集積包装体は、容器にフランジ部があることを前提としているので、フランジ部がないカップ状の容器は集積包装を行うことができないという問題がある。
【０００９】
また、別の問題点として、以下の事柄が挙げられる。集積包装体に収容された容器は、他の商品と共にキャリー箱やスーパーのレジ袋等に入れて持ち運びする場合がある。その際に、集積包装体が緩衝作用を有し、他の商品と接しても、内容物の破損を防止することができる。しかし、従来の集積包装体は、複数の収容物を集積するためだけのものであり、集積後、個別に分割することを想定していない。
【００１０】
そこで、本発明は、上記課題を鑑みてなされたもので、テーパー形状を有する容器を強固に固定することができ、また単品の場合でも使用可能な集積包装体を提供することを課題とする。
【課題を解決するための手段】
【００１１】
上記課題を解決するために、本発明に係る集積包装体１０は、複数の収容物を並べて集積する角筒状の集積包装体であって、両端の辺上を折り込んだ第一抜け止め部１１ａ，１１ａと、前記収容物ごとに分割する切断予定部１４とを備えることを特徴とするものである。
【００１２】
上記構成からなる集積包装体１０によれば、少ない押さえで、作業効率よく収容物を固定することができ、特に、第一抜け止め部１１ａ，１１ａは収容物を両端から規制し、収容物が外に飛び出すのを防止することができる。また、切断予定部１４を切断することにより、集積包装体１０を収容物ごとに分離して使用することもできる。なお、前記第一抜け止め部１１ａ、１１ａは同一の辺上にあることが好ましい。
【００１３】
また、辺上の一部を折り込んで前記収容物の側面に当接する固定部１１ｃ，１１ｃを備えることが好ましい。この構成からなる集積包装体１０によれば、収容物の面を固定することにより、収容物が揺動するのを防止することができ、収容物を強固に固定することができる。
【００１４】
さらに、前記切断予定部１４を跨いで、辺上の一部を折り込んだ第二抜け止め部１１ｂを備えることが好ましい。この構成からなる集積包装体１０によれば、切断予定部１４で分割して使用する場合、第二抜け止め部１１ｂと第一抜け止め部１１ａが収容物を両端から規制し、収容物が外に飛び出すのを防止することができる。
【００１５】
なお、前記収容物は、トレー部５１とドーム状の蓋部５２とからなる容器５０であることが好ましい。この構成からなる集積包装体１０によれば、収容物がテーパーを有する形状であっても、収容物を強固に固定し、収容物が外に飛び出すのを防止することができる。
【発明の効果】
【００１６】
このように、本発明に係る集積包装体は、少ない押さえで作業効率よく、収容物を固定することができ、かつ、収容物ごとに分割して使用することもできる。
【発明を実施するための最良の形態】
【００１７】
以下、本発明の一実施形態として、収容物がトレー部５１とドーム状の蓋部５２とから構成される容器５０であり、このような容器５０を２個収容する集積包装体１０を例に取り、図面を参酌しつつ説明する。
【００１８】
図１は、本実施形態に係る集積包装体の斜視図である。集積包装体１０の形状は、上面、前面、底面及び背面からなる角筒状を有する。この集積包装体１０は、容器５０ごとに分離することが可能な切断予定部１４と、上面の一方の辺を、切断予定部１４を跨いで折り込んだ第二抜け止め部１１ｂと、第二抜け止め部１１ｂを設けた辺の両端を折り込んだ第一抜け止め部１１ａ，１１ａと、上面の他方の辺を容器５０の蓋部５２の側面に当接するように折り込んだ固定部１１ｃ，１１ｃとから構成される。
【００１９】
第一抜け止め部１１ａ，１１ａ及び第二抜け止め部１１ｂは、容器５０の蓋部５２の上部を両端から挟み込むように設けられている。また、固定部１１ｃ，１１ｃは、蓋部５２の上部側面に当接するように設けられている。つまり、第一抜け止め部１１ａ，１１ａ及び、第二抜け止め部１１ｂは、容器５０の蓋部５２を両端から挟み込んで規制することにより、容器５０が外に飛び出すのを防止することができる。また、固定部１１ｃは、蓋部５２の側面に当接することにより、容器５０が揺動するのを抑止することができる。従って、抜け止め部１１ａ，１１ｂ及び固定部１１ｃの作用を組み合わせて、容器５０を集積包装体１０に強固に固定することができる。
【００２０】
また、集積包装体１０は、必要に応じて図１に示す窓部を設けてもよい。図１では、一つの容器５０上に対し、２個の楕円形状の上面窓部３２，３２を並列させて設けている。さらに、前面に容器５０の側面を見せることができる略扇状の側面窓部３１，３１が設けられている。なお、これら窓部の形状は一例であり、内容物を見せることができれば、これらの形状に限るものではない。
【００２１】
続いて、第一抜け止め部１１ａ，１１ａ、第二抜け止め部１１ｂ及び固定部１１ｃ，１１ｃの組み立て方法について、図２を参照して説明する。
【００２２】
図２は、図１の集積包装体１０を組み立てる前の斜視図である。
まず、図２より、集積包装体１０の一方の辺の両端に切り込み線２１ａ，２１ａが設けられている。そして、切り込み線２１ａ，２１ａの両端から垂直に縁部分に向かって折り込み線２２ａ，…を有する。次いで、同じ辺上に、切断予定部１４を跨いで、切り込み線２１ｂ，２１ｂが設けられている。そして、切り込み線２１ｂ，２１ｂのそれぞれの両端を繋ぐように、折り込み線２２ｂ，２２ｂを有する。さらに、他方の辺に、容器５０の蓋部５２の側面に当接するように切り込み線２１ｃ，…が設けられている。そして、切り込み線２１ｃ，…のそれぞれの両端を繋ぐように、折り込み線２２ｃ，…を有する。なお、折り込み線は必ず設ける必要はなく、折り込み線がない場合は、切り込み線の両端から垂直に折り曲げるようにしてもよい。
【００２３】
次に、本発明の集積包装体１０の組み立て方法について説明する。まず、容器５０を集積包装体１０に収容後、第一抜け止め部１１ａ，１１ａを折り込み線２２ａ，…で、第二抜け止め部１１ｂを折り込み線２２ｂ，２２ｂで内側に折り込むことにより、組み立てることができる。続いて、固定部１１ｃ，１１ｃは、折り込み線２２ｃ，…を内側に折り込むことにより組み立てることができる。
【００２４】
このように本実施形態に係る集積包装体１０は、一つの容器５０に対し、第一抜け止め部１１ａ，１１ａで両端を規制するようにし、さらに、固定部１１ｃで側面を固定するようにしたので、少ない押さえで容器５０を強固に固定することができる。これにより、作業者は、効率よく容器５０を集積包装することができる。さらに、必要に応じて、切断予定部１４を切断し、集積包装体１０を個別に分割させることができ、その場合も第一抜け止め部１１ａ及び第二抜け止め部１１ｂで容器５０の両端を規制することができる。
【００２５】
また、このような集積包装体１０は、ロールケーキやパウンドケーキ等を収容するための、トレー部とドーム状の蓋部からなる容器を集積包装するために有効である。なお、これら以外にも、ショートケーキやタルトなどの洋菓子、和菓子、サンドイッチまたは総菜等を収容するための、テーパー形状を有するカップ状の容器を集積包装するために有効である。
【００２６】
なお、本発明に係る集積包装体１０は、上記実施形態に限定されるものではなく、本発明の要旨を逸脱しない範囲で種々の変更が可能である。
【００２７】
例えば、上記実施形態では、容器５０を２個収容する集積包装体１０について説明したが、容器５０の数は１個でも、また３個以上であっても構わない。
【００２８】
また、第一抜け止め部１１ａ，１１ａは、同じ側に設けるようにしたが、これに限るものではなく、対角線上に設けてもよい。
【００２９】
また、集積包装体１０を容器５０ごとに分離する必要がなければ、切断予定部１４及び第二抜け止め部１１ｂを設けなくてもよい。切断予定部１４には、ミシン目、ジッパー、スリット等の線状の切り込み等があり、容器５０を個別に分離できればこれ以外の手段であっても構わない。
【００３０】
また、上記実施形態では、トレー部５１とドーム状の蓋部５２からなる容器５０を収容する場合について説明したが、この形状に限られるものではない。例えば、抜け止め部１１ａ，１１ｂ及び固定部１１ｃの位置を変えることにより、カップと蓋からなる容器であって、カップが半球状や台すい状であっても有効に固定することができる。
【００３１】
また、集積包装体１０及び容器５０の材質は特に限定されるものではなく、プラスチック、発泡材料、紙などを適宜用いることができる。
【図面の簡単な説明】
【００３２】
【図１】本実施形態に係る集積包装体の斜視図を示す。
【図２】図１の集積包装体を組み立てる前の斜視図を示す。
【図３】従来の集積包装体の展開図（ａ）及び斜視図（ｂ）を示す。
【符号の説明】
【００３３】
１０…集積包装体
１１ａ…第一抜け止め部
１１ｂ…第二抜け止め部
１１ｃ…固定部
１４…切断予定部
５０…容器
５１…トレー部
５２…蓋部
【図１】
2005239214.tif 000003
【図２】
2005239214.tif 000004
【図３】
2005239214.tif 000005